(57)【要約】  物体を構造物に固定するためのアンカープラットフォームアセンブリは、特に、屋根に取り付けられる支持構造の内側又は外側角部に物体を取り付けることを目的としており、それぞれが第１表面及び第２表面を有する第１側壁及び第２側壁を有するアンカーベースプレート、ベースプレートの第１側壁に結合される細長いポストを含んでいる。ポストは、アンカーベースプレートの第１側壁に固定される第１端部、第２自由端部、及び、アンカーベースプレートの第１側壁の第１表面からポストに延在する少なくとも部分的にねじが切られる円筒形ブラインド孔を有し、アンカーベースプレートの第２表面は、ポストによって覆われる第２表面の領域を除いて、構造物が第１側壁の第２表面に対して略面一になることを可能にするよう構成される。【選択図】図９ｂ
2021533293.tif 000002
【特許請求の範囲】
【請求項１】
物体を構造物に固定するためのアンカープラットフォームアセンブリであって、
互いに角度を付けて配置される第１側壁及び第２側壁を含むアンカーベースプレートであって、前記側壁のそれぞれは、第１表面及びその反対側の第２表面並びに１対の対向する端部を有し、前記第１及び第２側壁の前記端部のうちの１つは共に接合される、アンカーベースプレートと、
前記アンカーベースプレートの第１側壁に結合され、その前記第２表面から外側に突出する細長いポストであって、前記ポストは、前記アンカーベースプレートの前記第１側壁に固定される第１端部及び第２自由端部、並びに前記アンカーベースプレートの第１側壁の前記第１表面から前記ポストに延在する少なくとも部分的にねじが切られる円筒形の内側ブラインド孔を有し、前記アンカーベースプレートの前記第１側壁の前記第２表面は、前記構造物が、前記ポストによって覆われる前記第２表面の領域を除いて、前記第１側壁の前記第２表面に対して略面一にあることを可能にするよう構成される、細長いポストと、を備えるアンカープラットフォームアセンブリ。
【請求項２】
物体を前記ブラインド孔を介して前記アンカーベースプレートに締着させるための手段を更に含む、請求項１に記載のアンカープラットフォームアセンブリ。
【請求項３】
物体を締着させるための前記手段は、平行ねじを有する円筒形機械的締結具を備える、請求項２に記載のアンカープラットフォームアセンブリ。
【請求項４】
前記アンカーベースプレートを構造物に締着させるための手段を更に含む、請求項１に記載のアンカープラットフォームアセンブリ。
【請求項５】
前記アンカーベースプレートは略Ｌ字形であり、前記第１側壁はその前記第２側壁に対して略垂直に配置される、請求項１に記載のアンカープラットフォームアセンブリ。
【請求項６】
前記ブラインド孔は前記アンカーベースプレートの前記第１側壁内の略中央に配置され、前記アンカーベースプレートの第１側壁は、前記ブラインド孔から離間される複数の離間した補助貫通孔を有する、請求項１に記載のアンカープラットフォームアセンブリ。
【請求項７】
前記アンカーベースプレートを前記構造物に締着させるための前記補助孔の１つを通ってそれぞれが受け入れ可能な複数の機械的締結具を更に含む、請求項６に記載のアンカープラットフォームアセンブリ。
【請求項８】
前記物体を前記アンカーベースプレートに締着させるための前記手段は、拡大ヘッドを有するボルトと、平行ねじを有するねじ円筒形シャフトとを備える、請求項２に記載のアンカープラットフォームアセンブリ。
【請求項９】
前記アンカーベースプレートポストは円筒形であり、平滑な外面を有する、請求項１に記載のアンカープラットフォームアセンブリ。
【請求項１０】
アンカーベースプレートポストは円筒形であり、少なくとも部分的に雄ねじである外面を有する、請求項１に記載のアンカープラットフォームアセンブリ。
【請求項１１】
前記アンカープラットフォームアセンブリを前記構造物に下から固定するための前記ポストの前記雄ねじ面上に受け入れ可能なナットを更に含む、請求項１０に記載のアンカープラットフォームアセンブリ。
【請求項１２】
前記アンカーベースプレートの第１及び第２側壁は略矩形である、請求項１に記載のアンカープラットフォームアセンブリ。
【請求項１３】
前記アンカーベースプレートの前記第１側壁は、前記ブラインド孔を部分的に画成し、且つ、前記ポストに延在する前記ブラインド孔と合流するねじのない貫通孔を有し、前記ポストは、円筒形であり、前記ねじのない貫通孔内部での受け入れのために構成され、寸法が決められるその第１端部に隣接する小径ネック部分を有する、請求項１に記載のアンカープラットフォームアセンブリ。
【請求項１４】
前記ポストは平滑な外面を有する、請求項１２に記載のアンカープラットフォームアセンブリ。
【請求項１５】
前記ポストは少なくとも部分的にねじが切られた外面を有する、請求項１２に記載のアンカープラットフォームアセンブリ。
【請求項１６】
ベース壁部孔がねじブラインド孔と整列して、物体支持部材を前記アンカーベースプレートに締着させるように、前記ボルトの前記ねじ円筒形シャフトが前記ベース壁部孔を通り且つ前記ねじブラインド孔に挿入されることを可能にするように、前記アンカーベースプレート上に位置決め可能なベース壁部及びそれを通して形成される孔を有する前記物体支持部材を更に含む、請求項８に記載のアンカープラットフォームアセンブリ。
【請求項１７】
略平面のベース壁部と、前記ベース壁部と共に、物体が挿入されてもよい開放端を有する略Ｕ字形チャネルを画成するそれぞれがその前記ベース壁部の対向する端部に接合される１対の直立して離間される側壁とを有する、物体用の細長いＵ字形の物体支持部材を更に含む、請求項８に記載のアンカープラットフォームアセンブリ。
【請求項１８】
前記物体支持部材は、更に、
それぞれがその前記ベース壁部の対向する端部に接合され、それぞれがそれを通って延在する貫通孔を有する１対の側壁と、
平面ベースと、前記平面ベースに接合される直立管状本体部材とを備える支持スタンドであって、前記平面ベースは、前記アンカーベースプレートの前記ねじブラインド孔と整列可能であり、前記支持スタンドの前記平面ベースを前記アンカーベースプレートに締着させるように前記ねじボルトがベース貫通孔を通って前記ねじブラインド孔に挿入されることを可能にするそれを通って形成される貫通孔を有し、前記管状本体部材は対向する側壁を有し、それぞれが前記対向する側壁の前記貫通孔と整列する貫通孔を有する、支持スタンドと、
前記支持スタンドの前記側壁貫通孔の少なくとも１つ及び前記物体支持部材の前記側壁貫通孔の少なくとも１つを介して、前記物体支持部材を前記支持スタンドに機械的に締着させるための手段と、を含み、
前記支持スタンドは、その前記ベース壁部の前記貫通孔を介して前記アンカーベースプレートに、及び、前記ボルトを介して前記アンカーベースプレートの前記ねじブラインド孔に機械的に締着される、請求項１６に記載のアンカープラットフォームアセンブリ。
【請求項１９】
前記アンカーベースプレートの第１側壁及び第２側壁は、共に配置及び固定されて、略Ｖ字形プロファイルを形成して、それらが傾斜構造上に取り付けられることを可能にする、請求項１に記載のアセンブリ。
【請求項２０】
アンカーベースプレートアセンブリは、複数の前記ポスト及び前記ブラインド孔を備える、請求項１に記載のアンカープラットフォームアセンブリ。
【請求項２１】
前記ポストのうちの２つ及び前記ブラインド孔のうちの２つが設けられる、請求項２０に記載のアンカープラットフォームアセンブリ。
【請求項２２】
前記細長いポストは、前記アンカーベースプレートのその前記第１側壁の前記第２表面に固定される少なくとも１つのねじ付スタッドを備える、請求項１に記載のアンカープラットフォームアセンブリ。
【請求項２３】
前記アンカープラットフォームアセンブリは、複数の前記スタッド及び前記ブラインド孔を備える、請求項２２に記載のアンカープラットフォームアセンブリ。
【請求項２４】
前記アンカーを構造物に締着させるための前記手段は、前記アンカーベースプレートの前記第１側壁上の前記ポストの両側に離間される方法で配置される２つのねじ付スタッドを含み、それぞれは、前記第１側壁の前記第２表面に取り付けられる一端と、そこから外向きに突出する対向する自由端とを有する、請求項４に記載のアンカープラットフォームアセンブリ。
【請求項２５】
前記アンカーベースプレート及びポストは金属からできている、請求項１に記載のアンカープラットフォームアセンブリ。
【発明の詳細な説明】
【技術分野】
【０００１】
[001]  この出願は、２０１８年８月１０日出願の米国仮特許出願第６２／７１７，２８０号の利益を主張し、２０１９年７月２４日出願の米国ＰＣＴ出願第ＰＣＴ／ＵＳ２０１９／４３２６４号の一部継続であり、これは、更には、２０１９年２月１９日出願の米国ＰＣＴ出願第ＰＣＴ／ＵＳ２０１９／０１８５９２号の一部継続であり、これは、更には、２０１７年１２月２２日出願の米国非仮特許出願第１５／８５２，７３３号の継続である２０１８年１２月１３日出願の米国非仮特許出願第ＰＣＴ／ＵＳ２０１８／０６５４６５号の一部継続であり、そのそれぞれを引用して本明細書中に組み込む。
【背景技術】
【０００２】
[002]  屋根付属構造物を、例えば、欄干、ソーラーパネル、及び避雷針等の屋根並びに他の隆起、平坦、及び傾斜構造物、テラス、バルコニー等の屋根、バルコニー等に固定及び取り付ける一方で、強度及び防水性能を提供するための、建築業において特に有用な支持構造に物体を固定並びに取り付けるためのアンカープラットフォームアセンブリであって、内側及び外側角部、勾配屋根、及び他の角度付支持面のために特に構成されるアンカープラットフォームアセンブリ。
【０００３】
[003]  傾斜又は陸屋根、建物のテラス、ルーフデッキ等に取り付けられる屋根設備、付属構造物等を取り付け、防水するための様々な方法が周知されている。屋根業界において、特に水返しが組み込まれていない及び／又はシーラントのみに依存している場合、設備取り付けポイントにおける水の浸入により多くの問題が存在している。様々な被覆方法及びそれらの組み合わせが、アスファルト瓦、注入又はシート状プラスチック又はゴム膜等のようなかかる構造物上の水及び湿気バリアとして用いられている。現在、ソーラーパネル、衛星放送受信アンテナ、ＨＶＡＣ等のような、ますます重量のある屋根構造部が屋根に取り付けられている。
【０００４】
[004]  特にルーフデッキ、バルコニー、テラス等には、ガラスの壁及び／又は欄干が、木製、ケーブル、金属製フェンスの場合に通常あることのような障害物が見えないよう取り付けられている。これらの概して重量のある構造物は、また、屋根構造物にも固定する必要がある。しかし、それらが生成する荷重と、通常はアンカーが屋根にボルトで固定されるそれらが取り付けられる方法のため、接着剤又はグルーがかかる水の浸透を防ぐ試みにおいて導管を封止するために多くの場合用いられる事実にもかかわらず、水が屋根を通って浸透するための「導管」が作成される。
【０００５】
[005]  実際、時間の経過と共に、これらの重量構造物は、例えば、沈下、温度変化、及び／又は強風によって生じる通常の反復的な屋根の動き又は移動の結果として、用いられる接着剤又はグルーに亀裂を生じ、最終的に屋根の雨漏りを生じる。結果として、多くの設置業者にとって、かかる従来の固定システムによって生じる水又は湿害に対する保証を提供したり、又は保険をかけたりすることは困難である。更に、かかる従来の方法及びシステムは、支持構造の内側及び外側角部に物体を取り付けることに関して適切に対処するように設計されていない。
【０００６】
[006]  本発明は、有利で且つ効果的な方法でかかる問題を回避する新規の固定システムを提供することによって、この問題を克服しようとするものである。
【０００７】
[007]  従って、本発明の目的は、多種多様な用途のため、特に、重量物に適応し且つ機器取付ポイントにおいて防水保護を提供することができ、支持構造の内側及び外側角部等の角度が付いた支持構造上にかかる物体を取り付ける問題に対処する機器及び／又は屋根付属構造物を屋根等に固定するために使用可能な新規のアンカープラットフォームアセンブリを提供することにある。
【０００８】
[008]  本発明の更なる目的は、設計及び構造が比較的単純であり、設置が容易であり、作成が比較的安価である新規のアンカープラットフォームアセンブリを提供することにある。
【０００９】
[009]  本発明の更なる目的は、陸屋根及び傾斜屋根の両方、並びにルーフデッキ、屋外バルコニー、テラス等を含む、様々な屋根又は隆起構造物に用いることができるかかる新規のアンカープラットフォームアセンブリを提供することにある。
【００１０】
[010]  本発明のより詳細な目的は、機器取り付けポイントにおいて防水接続を提供することにおいて従来技術のシステムよりも信頼性の高いかかる新規のアンカープラットフォームアセンブリを提供することにある。
【００１１】
[011]  本発明の更に別の目的は、とりわけ、避雷針、アンテナ、ソーラーパネル、衛星放送受信アンテナ、安全レール、ガラス欄干、ＨＶＡＣ加熱空調設備、装飾彫刻、祭日用装飾品等を含む、多数の多種多様な屋根付属構造物を固定及び取り付ける一方で、同時に、水密接続を提供するために普遍的に適応可能なかかる新規のアンカープラットフォームを提供することにある。
【発明の概要】
【００１２】
[012]  前述及び関連する目的の幾つかは、物体を構造物に固定するためのアンカープラットフォームアセンブリを提供することによって本発明によって達成され、それは、互いに角度を付けて配置される第１側壁及び第２側壁を含むアンカーベースプレートを備え、前記側壁のそれぞれは、第１表面及びその反対側の第２表面並びに１対の対向する端部を有し、前記第１及び第２側壁の前記端部のうちの１つは共に接合される。細長いポストは、前記アンカーベースプレートの第１側壁に結合され、その前記第２表面から外側に突出し、前記ポストは、前記アンカーベースプレートの前記第１側壁に固定される第１端部及び第２自由端部、並びに前記アンカーベースプレートの第１側壁の前記第１表面から前記ポストに延在する少なくとも部分的にねじが切られる円筒形の内側ブラインド孔を有し、前記アンカーベースプレートの前記第１側壁の前記第２表面は、構造物が、前記ポストによって覆われる前記第２表面の領域を除いて、前記第１側壁の前記第２表面に対して略面一にあることを可能にするよう構成される。
【００１３】
[013]  好ましい実施形態において、アンカープラットフォームアセンブリは、物体を前記ブラインド孔を介して前記アンカーベースプレートに締着させるための手段を更に含む。アンカーベースプレートの第１及び第２側壁は、略矩形であるのが好ましい。好ましくは、物体を締着させるための前記手段は、平行ねじを有する円筒形機械的締結具を備える。望ましくは、アセンブリは、前記アンカーベースプレートを構造物に締着させるための手段を更に含む。有利には、前記アンカーベースプレートは略Ｌ字形であり、前記第１側壁はその前記第２側壁に対して略垂直に配置される。好ましくは、前記ブラインド孔は前記アンカーベースプレートの前記第１側壁内の略中央に配置され、前記アンカーベースプレートの第１側壁は、前記ブラインド孔から離間される複数の離間した補助貫通孔を有する。望ましくは、アセンブリは、前記アンカーベースプレートを構造物に締着させるための前記補助孔の１つを通ってそれぞれが受け入れ可能な複数の機械的締結具を更に含む。最も有利なことに、物体を前記アンカーベースプレートに締着させるための前記手段は、拡大ヘッドを有するボルトと、平行ねじを有するねじ円筒形シャフトとを備える。
【００１４】
[014]  本発明の特に好ましい実施形態において、前記アンカーベースプレートポストは円筒形であり、平滑又は少なくとも部分的に雄ねじ付外面のいずれかを有する。後者のオプションにより、アセンブリは、前記アンカープラットフォームアセンブリを構造物に下から固定するための前記雄ねじポスト上に受け入れ可能なナットを含む。最も望ましくは、前記アンカーベースプレート及びポストは金属からできており、前記第１及び第２側壁は略矩形である。
【００１５】
[015]  本発明の別の好ましい実施形態において、アンカーベースプレートの第１側壁は、前記ブラインド孔を部分的に画成し、且つ、前記ポストに延在する前記ブラインド孔と合流するねじのない貫通孔を有する。ポストは、前記第１側壁のねじのない貫通孔内部での受け入れのために構成され、寸法が決められるその上端に隣接する小径ネック部分を有する。
【００１６】
[016]  好ましくは、アンカープラットフォームアセンブリは、また、ベース壁部孔が前記ねじブラインド孔と整列して、前記物体支持部材を前記アンカーベースプレートに締着させるように、前記ボルトの前記ねじ円筒形シャフトが前記ベース壁部孔を通り且つ前記ねじブラインド孔に挿入されることを可能にするように、前記アンカーベースプレート上に位置決め可能なベース壁部及びそれを通して形成される孔を有する物体支持部材を含む。有利に、アセンブリは、更に、略平面のベース壁部と、前記ベース壁部と共に、物体が挿入されてもよい開口端を有する略Ｕ字形チャネルを画成するそれぞれがその前記ベース壁部の対向する端部に接合される１対の直立して離間される側壁とを有する物体用の細長いＵ字形の支持部材を含む。最も有利には、物体支持部材は、それぞれがその前記ベース壁部の対向する端部に接合され、それぞれがそれを通って延在する貫通孔を有する１対の側壁と、平面ベースと前記平面ベースに接合される直立管状本体部材とを備える支持スタンドであって、前記平面ベースは、前記アンカーベースプレートの前記ねじブラインド孔と整列可能であり、前記支持スタンドの前記平面ベースを前記アンカーベースプレートに締着させるように前記ねじボルトが前記ベース貫通孔を通って前記ねじブラインド孔に挿入されることを可能にするそれを通って形成される貫通孔を有する支持スタンドとを含む。管状本体部材は、また、それぞれが対向する側壁内の貫通孔と整列する貫通孔を有する対向する側壁も有し、手段が、前記支持スタンドの前記側壁貫通孔の少なくとも１つ及び前記物体支持部材の前記側壁貫通孔の少なくとも１つを介して、前記物体支持部材を前記支持スタンドに機械的に締着させるために設けられる。結果として、支持スタンドは、その前記ベース壁部の前記貫通孔を介して前記アンカーベースプレートに、及び、前記ボルトを介して前記アンカーベースプレートの前記ブラインド孔に機械的に締着させることができる。
【００１７】
[017]  本発明の別の特に好ましい実施形態において、アンカーベースプレートの第１側壁及び第２側壁は、共に配置及び固定されて、略Ｖ字形プロファイルを形成して、それらが傾斜構造上に取り付けられることを可能にする。特に、内側及び外側角部に対して用いられる場合、前記アンカーアセンブリは、複数の前記ポスト及びブラインド孔、例えば、２つのポスト及び２つのブラインド孔を備える。アセンブリは、それぞれが前記アンカーベースプレートのその前記第１側壁の前記第２表面に固定されるねじ付スタッドを備える１つ以上の細長いポストを含んでいてもよい。その上、前記アンカーを構造物に締着させるための前記手段は、１つ以上のねじ付スタッドを含む。例えば、単一のポストと組み合わせて用いる場合、１対のねじ付スタッドは、前記アンカーベースプレートの前記第１側壁上の前記ポストの両側に離間される方法で配置することができ、各スタッドは、前記第１側壁の第２表面に取り付けられる一端と、そこから外向きに突出する対向する自由端とを有している。
【００１８】
[018]  本発明の他の目的及び特徴は、発明の幾つかの実施形態を開示する添付図面に関連して検討する詳細な説明から明らかとなるであろう。図面は、図示する目的のためだけに用いられ、発明の制限を定義するものではないことは、言うまでもない。
【図面の簡単な説明】
【００１９】
【図１】図１は、本発明を具現化するアンカープラットフォームアセンブリにおいて利用されるアンカーベースプレートの第１実施形態の上面及び側面斜視図である。
【図２】図２は、図１に示すアンカーベースプレートの底面及び側面斜視図である。
【図３】図３は、ルーフデッキに取り付けられ、更には、１対のガラス欄干に取り付けられるＵ字形チャネル又はシューを有する複数の離間した細長いレールをそれに固定する複数の直列に配置される離間したアンカーベースプレートを用いる本発明を具現化するアンカープラットフォームアセンブリの第１実施形態の断片的に図示する斜視図である。
【図４ａ】図４ａは、レールの高さを調整するためのアンカーベースプレート及びその中央にある任意のシムプレートの平面図である。
【図４ｂ】図４ｂは、図３に示すＵ字形シュー及びルーフデッキに対して位置関係にある図４ａに示すアンカーベースプレート及びシムプレートを含み、更に、アンカーベースプレート膜及び屋根膜並びにそれらと共に用いられる締結手段を含んでそれらと関連する屋根水返しを示すアンカープラットフォームアセンブリの分解断面図である。
【図４ｃ】図４ｃは、図４ｂにおいて、ルーフデッキに完全に取り付けられ、それによってガラスレールがそのＵ字形シューを介して屋根に固定されることを示し、また、水返し材料、締結具、及びそれらと共に用いられる接着材の使用法も示しているアンカープラットフォームアセンブリの断面図である。
【図５ａ】図５ａは、図４ｂに匹敵するが、縮小された幅のネック区間を有する雌ねじポストを有するアンカーベースプレートを示すアンカープラットフォームアセンブリの第２実施形態の分解断面図である。
【図５ｂ】図５ｂは、図４ｃに匹敵するが、アンカーベースプレートの中央孔内に着座する減少した幅のネック区間を有する雌ねじポストの使用を示す完全に取り付けられた状態での発明の第２実施形態の断面図である。
【図６ａ】図６ａは、図４ｂ及び５ａに示すものに匹敵するが、雄ねじポストを有するアンカーベースプレートを示すアンカープラットフォームアセンブリの第３実施形態の分解断面図である。
【図６ｂ】図６ｂは、図４及び５ｂのものに匹敵するが、ナット及びワッシャを介してルーフデッキの下からアンカーベースプレートをルーフデッキに固定する雄ねじポストを示す完全に取り付けられた状態のアンカープラットフォームアセンブリの第３実施形態の断面図である。
【図７ａ】図７ａは、それぞれアンカーベースプラットフォーム及びルーフデッキに対してオフセットされ、高くした配置で屋根付属構造物を支持するための本発明を具現化するアンカープラットフォームアセンブリ付属ユニットの斜視図である。
【図７ｂ】図７ｂは、図６ｂと同様ではあるが、ルーフデッキの上で離間され、アンカーベースプレートの中央孔からオフセットされている高くした位置におけるガラス欄干及びその支持シューを支持するアクセサリユニットを示す断面図である。
【図８】図８は、勾配屋根の頂上に沿って避雷針を支持し、水返し材料及び図示しない接着剤を有して示す本発明のアンカープラットフォームアセンブリの第５実施形態の分解断面図である。
【図９ａ】図９ａは、屋根支持構造の内側角部に取り付けられる平滑な円筒形ポストを有して示す本発明を具現化する新規のアンカーベースプレートアセンブリの第６実施形態の分解側面断面図である。
【図９ｂ】図９ｂは、屋根支持構造の内側角部に完全に取り付けられた状態の図９ａに示す新規のアンカーベースプレートアセンブリの側面断面図である。
【図９ｃ】図９ｃは、屋根支持構造の内側角部に完全に取り付けられた状態の図９ａに示す新規のアンカーベースプレートアセンブリの一部断面の断片的に示す正面図である。
【図１０ａ】図１０ａは、屋根支持構造の内側角部に取り付けられるねじ円筒形ポストの使用を示すことを除いて、図９ａに類似する、本発明を具現化する新規のアンカーベースプレートアセンブリの分解側面図である。
【図１０ｂ】図１０ｂは、屋根支持構造の内側角部に完全に取り付けられた状態の図１０ａに示す新規のアンカーベースプレートアセンブリの側面断面図である。
【図１０ｃ】図１０ｃは、屋根支持構造の内側角部に完全に取り付けられた状態の図１０ａに示す新規のアンカーベースプレートアセンブリの一部断面の断片的に示す正面図である。
【図１１ａ】図１１ａは、屋根支持構造の内側角部に取り付けるための２つの平滑な円筒形ポストを有して示す本発明を具現化する新規のアンカーベースプレートアセンブリの側面断面図である。
【図１１ｂ】図１１ｂは、図１１ａに示す新規のアンカーベースプレートアセンブリの一部断面の平面図である。
【図１１ｃ】図１１ｃは、図１１ａに示す新規のアンカーベースプレートアセンブリの一部断面の正面図である。
【図１２ａ】図１２ａは、屋根支持構造の内側角部に取り付けるための２つのねじ円筒形ポストを有して示す本発明を具現化する新規のアンカーベースプレートアセンブリの側面断面図である。
【図１２ｂ】図１２ｂは、図１２ａに示す新規のアンカーベースプレートアセンブリの一部断面の平面図である。
【図１２ｃ】図１２ｃは、図１２ａに示す新規のアンカーベースプレートアセンブリの一部断面の正面図である。
【図１３ａ】図１３ａは、屋根支持構造の内側角部に取り付けるための１つの平滑な円筒形ポスト及び２つのスタッドを有して示す本発明を具現化する新規のアンカーベースプレートアセンブリの側面断面図である。
【図１３ｂ】図１３ｂは、図１３ａに示す新規のアンカーベースプレートアセンブリの一部断面の平面図である。
【図１３ｃ】図１３ｃは、図１３ａに示す新規のアンカーベースプレートアセンブリの一部断面の正面図である。
【図１４ａ】図１４ａは、屋根支持構造の外側角部に取り付けられる平滑な円筒形ポストを有して示す本発明を具現化する新規のアンカーベースプレートアセンブリの分解側面断面図である。
【図１４ｂ】図１４ｂは、屋根支持構造の外側角部に完全に取り付けられた状態の図１４ａに示す新規のアンカーベースプレートアセンブリの側面断面図である。
【図１４ｃ】図１４ｃは、屋根支持構造の外側角部に完全に取り付けられた状態の図１４ａに示す新規のアンカーベースプレートアセンブリの断片的に示す正面図である。
【図１５ａ】図１５ａは、屋根支持構造の外側角部に取り付けられるねじ円筒形ポストの使用を示すことを除いて、図１４ａに類似して示す本発明を具現化する新規のアンカーベースプレートアセンブリの分解側面図である。
【図１５ｂ】図１５ｂは、屋根支持構造の外側角部に完全に取り付けられた状態の図１５ａに示す新規のアンカーベースプレートアセンブリの側面図である。
【図１５ｃ】図１５ｃは、屋根支持構造の外側角部に完全に取り付けられた状態の図１５ａに示す新規のアンカーベースプレートアセンブリの断片的に示す正面図である。
【図１６ａ】図１６ａは、屋根支持構造の外側角部に取り付けるための２つの平滑な円筒形ポストを有して示す本発明を具現化する新規のアンカーベースプレートアセンブリの側面断面図である。
【図１６ｂ】図１６ｂは、図１６ａに示す新規のアンカーベースプレートアセンブリの一部断面の平面図である。
【図１６ｃ】図１６ｃは、図１６ａに示す新規のアンカーベースプレートアセンブリの正面図である。
【図１７ａ】図１７ａは、屋根支持構造の外側角部に取り付けるための１つの平滑な円筒形ポスト及び２つのスタッドを有して示す本発明を具現化する新規のアンカーベースプレートアセンブリの側面断面図である。
【図１７ｂ】図１７ｂは、図１７ａに示す新規のアンカーベースプレートアセンブリの一部断面の平面図である。
【図１７ｃ】図１７ｃは、図１７ａに示す新規のアンカーベースプレートアセンブリの一部断面の正面図である。
【図１８ａ】図１８ａは、屋根支持構造の外側角部に取り付けるためのスタッドの形態で２つのねじ円筒形ポストを有して示す本発明を具現化する新規のアンカーベースプレートアセンブリの側面断面図である。
【図１８ｂ】図１８ｂは、図１８ａに示す新規のアンカーベースプレートアセンブリの一部断面の平面図である。
【図１８ｃ】図１８ｃは、図１８ａに示す新規のアンカーベースプレートアセンブリの一部断面の正面図である。
【発明を実施するための形態】
【００２０】
[062]  ここで、図面、特にその図１〜図７ｂに詳細に目を向けると、その中で図示されているのは、物体を支持構造に固定するための、特に多くの異なる使用分野に普遍的に適応可能な多種多様なアンカー用途を目的とする出願人の前述の米国特許出願第１５／８５２，７３３号及び出願第ＰＣＴ／ＵＳ２０１９／０１８５９２号に更に具体的に説明し、図示するような、本発明を具現化する新規のアンカープラットフォームアセンブリである。
【００２１】
[063]  その図１〜図４ｃは、一般に参照番号１０で設計され、屋根付属構造物を屋根並びにテラス、バルコニー、階段等のような他の隆起、平坦、及び／又は傾斜した構造物に固定するために特に設計された新規のアンカープラットフォームアセンブリを備える本発明の第１実施形態を示している。アンカープラットフォームアセンブリの主要コンポーネントは、一般に参照番号１１で示すアンカーベースプレートであり、これは、ステンレス鋼でできているのが好ましく（しかし、アルミニウム、青銅等のような他の金属でできていてもよい）、正方形又は矩形であるのが好ましく、頂面１２及び底面１３を有している。アンカーベースプレート１１は、雌ねじが切られた中央貫通孔１４と、中央孔１４から径方向外側に位置決めされ、概してベースプレート１１の周辺に隣接する６つの離間された周辺貫通孔１５とを有する。この実施形態において、アンカーベースプレート１１はまた、頂部開口端１８及び閉鎖底部１９（図２）を有する軸方向に延在し、雌ねじが切られた孔１７（図４ｂを参照）を有する好ましくは円筒形のロッド即ちポスト１６も含み、これは、その孔１７の頂部開口端１８が中央貫通孔１４の底部開口端と当接し、位置合わせされるように、アンカーベースプレート１１に溶接を介して好ましくは固定される（図４ｂを参照）。
【００２２】
[064]  図３に示すように、アンカープラットフォームアセンブリ１０のアンカーベースプレート１１は、通常、機械的締着要素２０を介して、好ましくは釘、ボルト、又はラグねじの形態で、一般に２１で示すルーフデッキ等の屋根構造物に取り付けられ、その円筒形のポスト１６がルーフデッキ２１を通って延在し、その閉鎖端部１９がルーフデッキの下方に突出している。雌ねじが切られ、位置合わせされる孔１４及び１７は、ルーフデッキ２１に取り付けられる物体のためのアンカーポイントとして機能する。この場合、物体は、細長いＵ字形の金属チャネル又はシュー２４内部に固定される下端を有するガラスパネル２２を有する種類のガラス欄干である。図３は、２つのガラスパネル２２及び２つのシュー２４が少なくとも部分的に取り付けられる、３つの直列に配置され、離間されたアンカーベースプレート１１を具体的に示している。使用中、かかるガラス欄干は長さ数百フィートであってもよい。正しく理解できるように、各ガラス欄干２２の長さに応じて、図３に示すように、ガラスレール２２毎に２つ以上のアンカーベースプレート１１が必要とされてもよい。
【００２３】
[065]  図４ａ及び図４ｃにおいて最も良好に見られるように、細長いＵ字形シュー２４は、複数の離間された貫通孔２５（そのうちの１つのみを示す）を有するベース壁部２３を有している。以下でより詳細に検討するように、ねじボルト２６、及びワッシャ２７等の、平行ねじを有する円筒形の機械的締結具が用いられ、そのボルト２６は、Ｕ字形シュー２４の貫通孔２５を介して受け入れられ、アンカーベースプレート１１の雌ねじ中央孔１４及び円筒形ポスト即ちロッド１６（図４ｃ）の雌ねじブラインド孔１７内部に受け入れられて、これらをルーフデッキ２１に固定する。閉鎖底部１９を有する円筒形ポスト１６は、２つの目的：（１）屋根に取り付けられる物体のための比較的頑丈で剛性の固定支持ポイントを提供し、（２）ブラインド孔１７及び閉鎖される円筒形ロッド１６の下端１９の結果として、中央孔１４を介してルーフデッキ２１内及びその下に水が浸入することを防ぐ目的を果たす。
【００２４】
[066]  図４ｂは、その中央貫通孔２９が円筒形ポスト１６の内側ブラインド孔１７の真上にあり、それと位置合わせされるようにアンカーベースプレート１１の上に取り付けられる、中央貫通孔２９を有する正方形シムプレート２８の使用を示している。シムプレート２８は、シュー２４の高さを調整して、隣接するシュー２４と、ルーフデッキ２１等の高さの変動によりそれらが支持するガラス欄干（単数又は複数）２２との適切な位置合わせを確実にするために用いられる。追加のシムプレート２８は、無論、必要に応じて、適切な高さの位置合わせを達成するために用いることができる。
【００２５】
[067]  図４ａ及び図４ｃに示すように、Ｕ字形チャネル又はシュー２４の中央貫通孔２５は、ボルト２６のボルト頭部が、ガラス欄干２２の底縁部に当接し、場合によっては亀裂又は損傷を与えないように、Ｕ字形シュー２４の下部ベース壁部２３の頂面３０の下に配置されるように、ボルト２６のボルト頭部及びワッシャ２７をステップ上に受け入れ、支持するよう寸法決めされ、構成されるステップを含む。
【００２６】
[068]  図４ａ及び図４ｃはそれぞれ、ガラス欄干をルーフデッキ又はテラス等に取り付けるための好ましい水返し材料、定着具、及び接着剤等を含む、アンカープラットフォームアセンブリ１０の分解断面図及び完全に取り付けられた断面図を示している。図４ａに示すように、アンカーベースプレート１１は、業界において標準又は従来のように、木材、金属、又は複合構造であってもよいルーフデッキ２１の上に位置決めされる。アンカーベースプレート１１の円筒形ポスト１６は、ルーフデッキ２１内の貫通孔３１と、好ましくはネオプレンでできており、好ましくはアンカーベースプレート１１とルーフデッキ２１との間に介在される従来のゴム製屋根膜３２の貫通孔３３とを通って挿入されることを意図している。同様に、これも好ましくはネオプレンでできている従来のゴム製屋根膜３４は、任意のシムプレート２８とアンカーベースプレート１１の頂面１２との間に位置決めされるのが好ましく、それもまた、ボルト２６が膜３４を通過することを可能にするよう中央孔３６を備えている。加えて、シーラント、セメント、コーキング、又は接着剤層３８が示され、これらは通常、アンカーベースプレート１１の底面１３に塗布されてそれを屋根膜３２に接着結合及び封止している。
【００２７】
[069]  図４ｃにも示すように、接着剤、コーキング、セメント、又はグルー４０（及び／又は任意選択的にクリップ）もまた、Ｕ字形金属チャネル２４内部に受け入れられるガラス欄干２２の下端を取り囲むように、Ｕ字形チャネル２４の内面に塗布される。そこにも示すように、アンカーベースプレート膜３４は、その端部が屋根膜３２に対して封止された状態でアンカーベースプレート１１全体にわたって延在し、それによってねじ孔及びアンカーベースプレート１１の残りの部分を封止している。正しく理解できるように、これらの水返し材料及び接着剤は、アセンブリを防水し、屋根を雨漏りから保護する役割を果たす。
【００２８】
[070]  前述のように、これは、屋根への物体の取り付け点、この場合、ボルト２６及びボルト２６が受け入れられるブラインドねじ孔１７を介してアンカーベースプレート円筒形ポスト１６へのガラス欄干シュー２４の取り付け点を指す点において特に重要である。孔１７はブラインド孔又は穴であり、円筒形ポスト１６の底部１９端部が閉じているので、ガラスパネル２２とＵ字形チャネル２４との間に浸入し、円筒形ポスト１６の孔１７に入ると想定できる任意の水の可能性のある経路は、ルーフデッキ２１に浸入することを完全に遮断される。
【００２９】
[071]  図５ａ及び図５ｂは、アンカーベースプレートアセンブリ１０’の第２実施形態を示し、同様の方法で、アンカープラットフォームアセンブリ１０’のこの第２実施形態の分解断面図及び完全に取り付けられた断面図をそれぞれ示している。
【００３０】
[072]  この第２実施形態に示す構成要素は、円筒形ポスト１６’が狭いネック部分３５を備え、ベースプレート１１’がねじのない中央孔１４’を備えていることを除いて、図４ａ及び図４ｃに示すものと同じであるが、両方ともそれ以外の点では、前の実施形態に示したベースプレート１１’及び円筒形ポスト１６と同一である。図４ａ及び４ｃにおいて、円筒形ポスト１６の上端１８は、通常、アンカーベースプレート１１’の底面１３に溶接される。しかし、図５ａ及び図５ｂにおいて、狭いネック区間３５は、アンカーベースプレート１１’のねじのない中央孔１４’内部に受け入れられるよう意図されており、この構造の結果として、より堅固でより強固な結合が作られる。より強固な結合は、それぞれの中央孔１４’及び雌ねじ孔１７’が、中央孔１４に受け入れられるポスト１６’の縮小したネック区間３５によって適切な軸方向整列に保持されながら、アンカープレート１１’及びポスト１６’が共に溶接される場合、狭いネック部分がねじのない中央孔１４内に延在するという事実に起因する。明らかに、アンカープラットフォームアセンブリの様々な部分の採用される材料、寸法、及び大きさは、特定の屋根用途に合わせて変更することができる。例えば、バルコニー欄干を取り付ける場合、ある特定の用途において、６インチ×６インチのベースプレート、高さ４と１／８インチ×幅２と１／２インチのアルミニウム製シューを、固定セメントによりアルミニウム製シューにセットされる厚さ１／２インチのガラスパネルと共に用いることが適している。
【００３１】
[073]  図６ａ及び図６ｂは、アンカーベースプレートアセンブリ１０’’の第３実施形態を示し、同様の方法で、この第３アンカープラットフォームアセンブリ実施形態の分解断面図及び完全に取り付けられた断面図をそれぞれ示している。この第３実施形態に示す構成要素は、円筒形ポスト１６’’の下部３７が雄ねじであることを除いて図５ａ及び５ｂに示すものと同じであるが、それ以外の点では、円筒形ポスト１６’と同一である。この実施形態において、ナット３９及びワッシャ４１は、図６ｂに示す完全に組み立てられた状態で、ナット３９及びワッシャ４１が、金属製ルーフデッキ２１’の下面に対して締着されて、より強力な取り付け点を提供する一方で、同時に、ブラインド孔１７’及び円筒形ポスト１６’’の閉端１９を介する取り付け点における屋根の雨漏りを防止するように、円筒形ポスト１６’’の雄ねじ面３７にねじ込まれる。
【００３２】
[074]  図７ａ及び図７ｂは、本明細書中に示す様々なアンカープレートアセンブリのための新規の付属品支持スタンド４２を示しており、これにより、ユーザがアンカーベースプレートの上に立てて間隔を空けた状態で物体を支持することを可能にしている。付属品支持スタンド４２は、好ましくは金属製の方形又は矩形の平面ベース４４と、溶接によって一端が平面ベース４４に接合される４つの側壁４３からなる直立した好ましくは金属製の方形管状本体部材とを備える。水抜き孔４５は、そこから水を排出することができるよう１つの側壁４３のベースに設けられている。ベース４４は、円筒形ポスト１６’’の雌ねじ孔１７’と整列可能な中央孔４９（図７ｂ）を有し、ボルト２６のねじステムは、雌ねじ孔１７’内部に螺合して受け入れられて、支持スタンド４２をアンカーベースプレート１１’’に固定する。水平に整列した孔４６の少なくとも１つのセットは、直立管状本体の対向する側壁４３に形成され、それを通って、ねじボルト４７が取り付けられて、図７ｂに最も良好に示すように、支持スタンド４２の側壁４３の１つに物体を固定している。この場合、Ｕ字形チャネル２４’は、図１〜図６の実施形態に示すように、そのベース壁２３’ではなく、その側壁の１つに凹んだ貫通孔２５’を備えている。ボルト４７は、そのボルトヘッドがチャネル貫通孔２５’のステップに対して保持されることにより凹んだ貫通孔２５’内に、且つ、追加のナット４８及びワッシャ４８によってその反対側の端部（即ち、側壁孔４６を通って延在するそのねじシャフトの自由端）において、Ｕ字形チャネル２４’をアンカーベースプレート１１’’及び屋根部材２１’に対して立てて高い位置に固定し、アンカーベースプレート１１’’の中央ブラインド孔に対してオフセットするよう保持される。
【００３３】
[075]  残りの図は、これまでに説明し、図示した種類の本発明の様々な実施形態を示しており、ここでアンカーベースプレートは、２つ以上の壁又はパネル区間に角度が付けられているか又は曲げられて、勾配屋根又は内側若しくは外側角部を有する屋根等の同様に角度が付けられるか又は曲げられた支持構造に適応している。可能な場合、以下の実施形態に示し、上で先に説明し、図示した部品、構成要素、又はコンポーネントと同じか、又は略同じであるアンカーベースプレートアセンブリの部品、構成要素、又はコンポーネントは、勾配屋根に対処する図８の実施形態に対しては数字「４」を、及び、隆起した屋根のアバットメント又は壁の内側及び外側角部に対処する図９〜図１８の実施形態に対しては数字「５」が前に付く同じ参照番号を備えている。
【００３４】
[076]  より詳細には、図８は、避雷針を勾配屋根の棟に取り付ける必要がある用途に対する本発明の第４実施形態を示しており、これは出願人の先の出願、第ＰＣＴ／ＵＳ２０１９／０１８５９２号にも説明されている。勾配屋根は、３層の屋根棟木４０３によって支持される、突き合わせられ、接合される屋根板４０１、４０２で構成されている。金属アンカーアセンブリ４１０は、中央孔４１４が形成され、そこから屋根棟プレート４０３の孔４０４内部に受け入れられる円筒形ポスト４１６にかかる中央の水平に配置される中央平面区間４１２を有する曲がったベースプレート４１１を備えている。ベースプレート４１１は、中央平面区間４１２の両側から延在する２つの曲がった翼区間４１８を有し、これらは、屋根板４０１、４０２に対して平坦に横たわるよう角度が付けられている。前と同じように、ベースプレート４１１は、曲がった翼区間４１７内の孔４１５を通して受け入れられる固定ねじ４２０を介して屋根板４０１、４０２に取り付けられる。他の実施形態で用いられるような水返し及び接着材料（図示せず）も、以前と同様の方法で用いられるであろう。
【００３５】
[077]  円筒形ポスト４１６は、図８に示す場合のように、任意選択的に平滑であってもよいか、又はその外面は、以前の実施形態にも示したように、雄ねじを切ることができる。それは、更に、その上部が尖った区間８２が屋根の最高点から好ましくは上向きに突出するように、避雷針８０のねじ下部区間８３が螺合して受け入れ可能である雌ねじ中央孔４１７を有する。このような用途において、接地ケーブル９０は通常、屋根棟に沿って通って、また従来のクランプ８９等も介して複数の離間した避雷針８２（図示せず）に接続し、接地ケーブルは、次いで、地面に導かれ、ここで地面の接地グリッド又はプレート（図示せず）に取り付けられる。
【００３６】
[078]  図９ａ、図９ｂ、図９ｃは、一般に参照番号５１０によって示され、物体５２４、この実施例において、ガラスレール５２２を屋根レッジ等の内側角部に支持させるためのＵ字形シュー５２４を固定するために構成される、本発明のアンカープラットフォームアセンブリの第６実施形態を示している。屋根の内側角部は、屋根壁の垂直壁部５０２又は他の高くした構造に垂直に配置される水平壁部５０１の間の略直角の接合部に形成されている。
【００３７】
[079]  アンカープラットフォームアセンブリ５１０は、一般に参照番号５１１によって示すアンカーベースプレートを含んでいる。図示するようなアンカーベースプレート５１１はＬ字形であり、互いに略垂直に延在してそれらが屋根壁５０１、５０２によって画成される内側角部に当接して位置決めされることを可能にする２つの角度が付いた側面の側壁又はパネル５１１ａ、５１１ｂを有する。ベースプレート５１１ａは、ねじ切りされていても又はされていなくてもよい中央孔５１４と、ベースプレート５１１を屋根の内側角部に近接する屋根板５０１、５０２に取り付けるために利用される複数の他の貫通孔５１５とを含む。ベースプレート５１１は、貫通孔又は孔５１５によって受け入られ、それらを通過する固定ねじ５２０を介して屋根板５０１、５０２に取り付けられて、内側角部においてベースプレート５１１を屋根５０１、５０２に固定する。通常、屋根膜５３２等の水返し材料を屋根構造５０１、５０２に固定することができ、接着剤又はコーキング５３８をそれらに又はアンカーベースプレート側壁５１１ａ、５１１ｂの下側５１３ａ、５１３ｂにそれぞれ塗布する。ベースプレート５１１は、２つの角度が付いた又は曲げられた側壁、側面又はパネル５１１ａ、５１１ｂを備える単一の一体化された一体型ユニットとして形成されてもよいか、又は、パネル同士は共に固定されて（溶接等によって）内側屋根角部に特に適しているか又はそれらのために構成されるベースプレートを実現することができる。
【００３８】
[080]  図９ｂ及び図９ｃにおいて最良に見られるように、アンカープラットフォームアセンブリ５１０は、また、円筒形ロッド又はポスト５１６も含んでいる。円筒形ロッド又はポスト５１６は、この実施形態において平滑な外側円筒形表面、並びに、内部にボルト５２６のねじ下部区間が螺合して受け入れ可能である雌ねじ中央孔５１７を有する（図９ｃ）。円筒形ポスト５１６の中央孔５１７はブラインド孔であり、これは上で説明した理由のために有利である。ポスト又はロッド５１６は、上部開口端５１８及び閉鎖底部５１９を有する（図９ｃ）。円筒形ロッド又はポスト５１６はアンカーベースプレート５１１に固定され、その結果、その孔５１７の上部開口端５１８は、中央貫通孔５１４の下部開口端と当接し、位置合わせされる。ベースプレート５１１の孔５１４は、図９ｃにおいて最良に見られるように、円筒形ロッド又はポスト５１６の中央孔５１７と整列されて、側壁５１１ａの上面からポスト孔５１７の底壁５１９まで延在するブラインド孔を効果的に共同的に画成する。取り付けられる場合のポスト５１６は、屋根部分５０１に形成された同様に寸法決めされ、構成された円筒形ブラインド孔５０４内に位置する。
【００３９】
[081]  図９ａに最良に示すように、シュー５２４のＵ字形チャネルの中央貫通孔５２５は、ボルト５２６のボルトヘッド、及び任意選択的にワッシャ５２７を受け入れ、支持するよう寸法決めされ、構成されるステップ５２５を含んでいる。その結果、ボルト５２６のボルトヘッドは、ボルト５２６がガラス欄干５２２の底縁部に当接し、場合によっては亀裂が入るか又は損傷することを防ぐために、Ｕ字形シュー５２４の下部ベース壁部５２３の上面５３０の下に配置される。
【００４０】
[082]  加えて、従来のゴム支持クリップ［図示せず］又は接着剤コーキング又はシーラント５４０が、ガラスレール５２２の下端の側面又はＵ字形チャネル５２４の内側壁に任意選択的に提供されて、レール５２２を衝撃を和らげる方法で固定してその動き及び亀裂を防いでいる。図示しないが、支持クリップ又はシーラント５４０は、また、ガラスレール５２２の下端の下又はベース壁部５３０上で延在することができる。ここでも、中央孔５２９を有する図４ｂにも示すような１つ以上のシムプレート５２８は、シュー５２４の高さを調整するために用いることができる。加えて、ゴム膜５５０の形態の水返しは、更なる防水保護のために、シュー５２４又はシムプレート５２８の下で且つアンカーベースプレート５１１の上に位置決めすることができる。
【００４１】
[083]  ここで、図１０ａ、図１０ｂ、及び図１０ｃに目を向けると、そこに示すのは、図９ａ〜９ｃに示したものと本質的に同一であるコンポーネント及びその取り付け方法であるアンカーベースプレートアセンブリであり、従って、その説明は、ロッド又はポスト５１６がねじ付外面５３７を有するという事実を除いて、それらと略同一であり、以下において繰り返さない。ポスト５１６のこのねじが付いたバージョンは、屋根５０１の下側にアクセスして、ポスト５１６を木製屋根板５０１内の貫通孔５０５を通って挿入することを可能にして、ワッシャ５４１及びナット５３９等の機械的締結具が雄ねじポスト５１６の自由端にねじ込まれることを可能にする場合に特に有用である。次いで、図１０ｂに最良に見られるように、アンカーベースプレート５１０をその下から屋根部分５０１と当接する関係で固定及びロックするよう締着させる。
【００４２】
[084]  図１１ａ、図１１ｂ、図１１ｃ、図１２ａ、図１２ｂ、図１２ｃ、及び図１３ａ、図１３ｂ、図１３ｃは、ある特定の建物の屋根に関して見出したような支持構造の内側角部に関連して用いるための本発明を具現化するアンカープラットフォームアセンブリの実施形態の幾つかの異なるオプション又は変形例を示している。ここでも、コンポーネント、水返し材料、及びそれらの設置は、図９ａ、図９ｂ、及び図９ｃに関連してこれまで説明したものと本質的に同じであり、従って、同じことを本明細書中では繰り返さない。その結果、アンカーベースプレートアセンブリ５１０、特にアンカーベースプレート５１１及びポスト５１６に関連する異なるオプションのみを説明し、示す。
【００４３】
[085]  より詳細には、図１１ａ、図１１ｂ、図１１ｃは、水平に配置されるアンカーベースプレート側壁５１１ａに固定され、それから垂下する２つの離間した平滑なポスト５１６の使用を示している。ベースプレート５１１の垂直に配置される側壁５１１ｂは、ねじ又はボルト等の機械的締結具をその中に受け入れて、アンカーベースプレートを垂直屋根壁５０２に対して固定するための３つの貫通孔５１５と、ねじ又はボルト等の機械的締結具を介して、同じものを内側角部の水平に配置される側壁５０１に固定するための、水平に配置される側壁５１１ａにおける３つの離間した貫通孔５１５とを有する。
【００４４】
[086]  図１２ａ、図１２ｂ、図１２ｃは、１対の離間した平滑なポスト５１６の代わりに、ねじ切りされた外面５３７を有する１対の離間したポスト５１６が用いられることを除いて、図１１ａ、図１１ｂ、図１１ｃの対応する図と同一である。
【００４５】
[087]  図１３ａ、図１３ｂ、図１３ｃは、それが単一の平滑なポスト５１６を有する（任意選択的に、雄ねじを切ることができるが）という点で図９ａ、図９ａｂ、図９ａに匹敵するが、それはまた、離間して、単一のポスト５１６の両側に配置される２つの円筒形の雄ねじ固定スタッド５６０も有する。固定スタッド５６０は、通常、アングルベースプレート側壁５１１ａの下側に溶接され、それらはそれぞれ、例えば、ワッシャ５４１及びねじ付ナット５３９の補助により、下から支持構造（図示せず）に締着されてはるかに強力な接合部及びアンカーを提供することができるように、孔５０５と同様の屋根構造内の孔を通って挿入される。
【００４６】
[088]  図１４ａ、図１４ｂ、図１４ｃ、及び図１５ａ、図１５ｂ、図１５ｃは、物体５２４（再度、ガラス欄干シュー５２４）を屋根部分の外側角部に固定するための本発明のアンカープラットフォームアセンブリの第７実施形態を示している。外側角部を画成するよう互いに略垂直に配置される合板屋根板５０１’、５０２’の対向する部分を備える屋根の外側角部。図の２つのセット間の唯一の違いは、図１４ａ〜図１４ｃが、ルーフ区間５０１’の上面における同様に構成された円筒形孔５０４’内に受け入れ可能な平滑な外面を有するポスト５１６の使用を示し、図１５ａ〜図１５ｃが、屋根の下からワッシャ５４０及びナット５３９を介して締着される上部水平壁部屋根区間５０１’における貫通孔５０５’を通って受け入れ可能な雄ねじ面５３７を有するポストを示している点である。
【００４７】
[089]  Ｌ字形ベースプレート５１１は、互いに略垂直に延在する２つの対向する側面、側壁、又はパネル５１１ａ及び５１１ｂを有し、それらは、パネル５１１ｂが、図９〜図１３に示すように、パネル５１１ａから上向きに延在するのではなく、その端部から下向きに垂下することを除いて、屋根の任意の内側角部に関連してこれまでに示したベースプレート５１１に関して示したものと略同じである。従って、示すように、側面５１１ａは、水平方向に延在する隆起屋根区間５０１’の上に重なり、側面５１１ｂ’は、側面５１１ａの一端から下向きに垂下して、水平方向に延在する屋根区間５０２’に又は（従来のゴム製屋根膜５３２及びコーキング５３８を備える）水返しに対して接続する隆起屋根区間５０１’の垂直方向に延在する側面の上に重なる。そして、先の実施形態のように、ベースプレート５１１は、ベースプレート５１１の対向する側面５１１ａ及び５１１ｂにおける孔５２０を通って受け入られる固定ねじ５２０を介して、屋根板５０１’に取り付けられている。
【００４８】
[090]  ここでも、図１４ａ、図１４ｂ、図１４ｃ、及び図１５ａ、図１５ｂ、図１５ｃに示すアンカーベースプレートアセンブリのコンポーネント、構造、及び設置が、図９ａ、図９ｂ、図９ｃ、及び図１０ａ、図１０ｂ、図１０ｃに関してそれぞれ説明したものと本質的に同じであるため、内側又は外側角部のいずれかへのそれらの適用の性質は別にして、それらの同じ説明を本明細書中では繰り返さない。
【００４９】
[091]  同様に、図１６ａ、図１６ｂ、図１６ｃ、図１７ａ、図１７ｂ、図１７ｃ、及び図１８ａ、図１８ｂ、図１８ｃは、同様にある特定の建物の屋根に関して見出したような支持構造の外側角部に関連して用いるための本発明のアンカーベースプレートアセンブリの幾つかの異なるオプション又はバージョンを示している。以下でより詳細に検討するように、前と同様に、これら他の実施形態は、複数の離間されたポスト５１６の利用及び使用、並びに追加の保持力を提供する複数のスタッド５６０の使用を示している。
【００５０】
[092]  より詳細には、図１６ａ、図１６ｂ、及び図１６ｃは、水平に配置されるアンカーベースプレート側壁５１１ａに固定され、それから垂下する２つの離間した平滑なポスト５１６の使用を示している。ベースプレート５１１の垂直に配置される側壁５１１ｂは、ねじ又はボルト等の機械的締結具をその中に受け入れて、アンカーベースプレート５１１ｂを外側角部の屋根区間５０１’の垂直壁部に対して固定するための３つの離間した貫通孔５１５と、ねじ又はボルト等の機械的締結具を介して、同じものを外側角部の屋根区間５０１’の水平に配置される上面に固定するための水平に配置される側壁５１１ａにおける３つの離間した貫通孔とを有する。雄ねじ外面５３７（図示せず）を有する２つのポスト５１６は、無論、平滑なポスト５１６に代替することができる。
【００５１】
[093]  図１７ａ、図１７ｂ、図１７ｃは、内側角部ではなく外側角部のために構成及び位置決めされることを除いて、両側に１対のねじ付スタッド５６０が配置される平滑なポスト５１６を示す点で、図１３ａ、図１３ｂ、図１３ｃの図に対応している。ここでも、ねじ付スタッド５６０は、側壁５１１ａの下側に取り付けられ、支持構造（図示せず）内の孔を通過して、それがその端部に取り付けられるワッシャ５４０及びナット５３９によって屋根構造の下から所定位置に保持及びロックされることを可能にしている。
【００５２】
[094]  図１８ａ、図１８ｂ、図１８ｃは、図１６ａ〜図１６ｃに示す２つのポスト編成に匹敵するが、この実施形態において、２つのポストは、離間して配置される細長いねじ付スタッド５６０である。スタッド５６０のそれぞれは、アンカーベースプレート５１１ａ内の孔５１４と合流する開口部を有する中央ブラインド孔５１７を備えている。固定スタッド５６０は、通常、角度が付いたベースプレート側壁５１１ａに溶接され、図１７ａ、図１７ｂ、及び図１７ｃのように、それらも、屋根（図示せず）の下からそれに締着されてはるかに強力な接合部及びアンカーを提供するねじ付ナット５３９及びワッシャ５４１の補助により、支持構造、この場合は屋根５０１に締着される。
【００５３】
[095]  図９〜図１８のアンカーベースプレートアセンブリは、通常、屋根構造のための内側及び外側角部を対象としている一方で、かかる剛性及び／又は防水アンカーが必要とされる建築業又はその他の業界における様々な用途にも用いることができる。
【００５４】
[096]  図４ａの検討において簡単に触れたように、本明細書中に説明した様々な実施形態の雌ねじ円筒形ブラインド孔を介して支持構造上に物体を取り付けるための「平行」ねじを有する円筒形機械的締結具を用いることが重要である。より詳細には、この種類の機械的締結具は、いわゆる「平行」ねじ、即ち、ヘッド及び円筒形ねじシャフトを有するボルトと、ヘッドのない円筒形棒状スタッドを有している。これは、いわゆる「テーパ」ねじを有する「円錐形」ねじとは区別される。平行ねじを有するかかる円筒形ボルト又はスタッド締結具の使用は、強固な接合部と、直線縁部も有するポストの雌ねじ円筒形ブラインド孔内への螺合受け入れによる保持力の様々な度合いを達成するための可変長さ及び幅の締結具に適応する多様性とを保証する。対照的に、補助孔１５を介してアンカーベースプレートを支持体に固定するために用いられる機械的締結具は、一般に、「テーパ」ねじを有するねじを含む任意の種類である可能性がある。
【００５５】
[097]  前記は、ガラスレール、及び避雷針と共に用いられて示したアンカーベースプレートアセンブリの使用法を具体的に説明し、示しているが、それらはまた、例えばアンテナ、テレビ用衛星放送受信アンテナ、ＨＶＡＣユニット等のような他の建物の付属物のための屋根等の構造物を支持するために、多種多様な他の物体を固定及び支持するためにも用いることができる。例えば、それらは、かかる屋根付属物を支持するためのＬ字形支持ブラケットを固定するために用いることができる。
【００５６】
[098]  アンカープラットフォームアセンブリは、また、単に剛性及び丈夫なアンカー支持が重要である、建物の外壁又は内壁、天井、床、階段、屋外デッキ等のような、防水が不要な建物及び他の用途のためにも用いることができることにも留意されたい。
【００５７】
[099]  前述からも正しく理解できるように、アンカーベースプレートの形状及び数、ポストの形状、種類、及び数、雄ねじか平滑かどうか、ねじなし貫通孔、ねじブラインド孔の使用、及びそれらの配置もまた、金属、木、若しくはその他の複合材等の屋根又は他の建物支持構造物の性質、大きさ、材料等の特定の用途の具体的な詳細に応じて変更することもできる。同様に、締結具、膜水返し材料、及びシーラントの種類もまた、屋根又は建物構造物と互換性があるよう選択されることが予想される。また、様々な実施形態の構成要素は、必要に応じて互いに置き換えられてもよい。
【００５８】
[100]  更に、アセンブリコンポーネントの寸法及び大きさは、特定の用途によって異なる可能性がある。例えば、円筒形ポストは、通常、直径を有し、１／８インチ〜２インチの範囲であるのが好ましく、長さは最大１８インチまでの範囲であってもよい。ベースプレートの厚さは、必要に応じて、例えば、好ましくは１／１６インチ〜１インチ、好ましくは１／４インチの間で変更してもよい。好ましい実施形態において、ポストは、１／２インチの外径を有し、その内部孔は、３／８インチの直径を有している。
【００５９】
[101]  ベースプレート、ポスト、及びスタッド等のアンカーアセンブリのコンポーネントの材料はまた、例えば、ステンレス鋼、アルミニウム、青銅、及び銅等の金属だけでなく、プラスチック、又は複合材料も含む様々な材料でできていてもよい。また、ベースプレート及びそのポスト、並びに任意のスタッドは、一体型コンポーネントを形成するよう一体的に形成又は接合されることが好ましい。特に、ポスト及び／又はスタッドは、溶接又は他の手段を介してベースプレートに固定することができることは正しく認識することができる。
【００６０】
[102]  ベースプレート５１１’’の２つのそれぞれの側面５１１ａ及び５１１ｂは、例えば、適切な大きさ及び厚さの金属プレートを曲げることによって一体として形成されてもよいか、又は別個の側面５１１ａ、５１１ｂを共に取り付けることによって形成されてもよい。例えば、２つの側面５１１ａ、５１１ｂは、それらそれぞれの端部の１つを共に溶接することによって互いに取り付けることができる。
【００６１】
[103]  従って、発明の特定の実施形態を説明してきたが、先行技術が許す限り広い適用範囲である発明が可能であり、本明細書が同様に読まれることを意図しているため、発明がそれらに限定されることを意図していない。従って、発明の精神及び適用範囲から逸脱することなく、他の修正を行うことができることは、当業者によって正しく理解されるであろう。
【図１】
2021533293.tif 000003
【図２】
2021533293.tif 000004
【図３】
2021533293.tif 000005
【図４ａ】
2021533293.tif 000006
【図４ｂ】
2021533293.tif 000007
【図５ａ】
2021533293.tif 000008
【図５ｂ】
2021533293.tif 000009
【図６ａ】
2021533293.tif 000010
【図６ｂ】
2021533293.tif 000011
【図７ａ】
2021533293.tif 000012
【図７ｂ】
2021533293.tif 000013
【図８】
2021533293.tif 000014
【図９ａ】
2021533293.tif 000015
【図９ｂ】
2021533293.tif 000016
【図９ｃ】
2021533293.tif 000017
【図１０ａ】
2021533293.tif 000018
【図１０ｂ】
2021533293.tif 000019
【図１０ｃ】
2021533293.tif 000020
【図１１ａ】
2021533293.tif 000021
【図１１ｂ】
2021533293.tif 000022
【図１１ｃ】
2021533293.tif 000023
【図１２ａ】
2021533293.tif 000024
【図１２ｂ】
2021533293.tif 000025
【図１２ｃ】
2021533293.tif 000026
【図１３ａ】
2021533293.tif 000027
【図１３ｂ】
2021533293.tif 000028
【図１３ｃ】
2021533293.tif 000029
【図１４ａ】
2021533293.tif 000030
【図１４ｂ】
2021533293.tif 000031
【図１４ｃ】
2021533293.tif 000032
【図１５ａ】
2021533293.tif 000033
【図１５ｂ】
2021533293.tif 000034
【図１５ｃ】
2021533293.tif 000035
【図１６ａ】
2021533293.tif 000036
【図１６ｂ】
2021533293.tif 000037
【図１６ｃ】
2021533293.tif 000038
【図１７ａ】
2021533293.tif 000039
【図１７ｂ】
2021533293.tif 000040
【図１７ｃ】
2021533293.tif 000041
【図１８ａ】
2021533293.tif 000042
【図１８ｂ】
2021533293.tif 000043
【図１８ｃ】
2021533293.tif 000044
【国際調査報告】
2021533293.tif 000045